(57)【要約】  本方法は、入力原色ＲＩ、ＧＩ、ＢＩの３個の値（ｒｉ、ｇｉ、ｂｉ）により定義される入力画素ＩＰｉを、表示装置ＤＤの画素ＰＩｉのＮ個のサブ画素ＳＰｉを駆動するためのＮ個の駆動値ＤＳｉへと変換する。Ｎ個の駆動値ＤＳｉはこれら駆動値が生じる有効範囲ＶＲを持つ。Ｎ個のサブ画素ＳＰｉは、Ｎ色の表示原色ＤＰｉにより定義される光を発し、該Ｎ色の表示原色のうち少なくとも４色が独立したものである。Ｍ色の結果の表示原色ＲＤｉが用いられ（１０）、結合された表示原色ＣＤｉへと結合されたＮ色の表示原色ＤＰｉのうちの表示原色の群が、結合された表示原色ＣＤｉにより置き換えられる。Ｍ色の結果の表示原色ＲＤｉについての結果の駆動値ＤＲｉを得るために、入力画素ＩＰｉに対して第１の多原色変換ＭＰＣ１が実行される（１１）。Ｍ個の結果の駆動値ＤＲｉが有効範囲ＶＲ内の値を持つか否かがチェックされる。Ｍ色の結果の表示原色ＲＤｉの少なくとも１つの結果の駆動値ＤＲｉが有効範囲ＶＲ外の値を持つ場合には、本方法は、有効範囲ＶＲ外である結果の駆動値ＤＲｉに固定値ＦＶｉを割り当て（１２）、Ｎ色の表示原色ＤＰｉからＫ色を選択する（１３）。該選択は、Ｎ色の表示原色ＤＰｉのうち、結合された表示原色ＣＤｉへと結合された表示原色であるが、有効範囲ＶＲ外である結果の駆動値ＤＲｉと関連する表示原色ＤＰｉではない表示原色を含む。整数Ｋは３よりも大きい。最後に本方法は、Ｎ色の表示原色ＤＰｉのうちの原色が第１の多原色変換ＭＰＣ１において結合された表示原色ＣＤｉへと結合されるという制約ＣＯ２の下で、第２の多原色変換を実行する（１４）。
2010532012.tif 000002
【特許請求の範囲】
【請求項１】
入力原色の３個の値により定義される入力画素を、表示装置の画素のＮ個のサブ画素を駆動するためのＮ個の駆動値へと変換する方法であって、前記Ｎ個の駆動値はこれら駆動値が生じる有効範囲を持ち、前記Ｎ個のサブ画素は、Ｎ色の表示原色により定義される光を発し、前記Ｎ色の表示原色のうち少なくとも４色が独立したものであり、前記方法は、
Ｍ色の結果の表示原色を用いるステップであって、結合された表示原色へと結合された前記Ｎ色の表示原色のうちの表示原色の群が、前記結合された表示原色により置き換えられるステップと、
前記Ｍ色の結果の表示原色についての結果の駆動値を得るために、前記入力画素に対して第１の多原色変換を実行するステップと、
Ｍ個の前記結果の駆動値が前記有効範囲内の値を持つか否かをチェックするステップと、
前記Ｍ色の結果の表示原色の少なくとも１つの前記結果の駆動値が、前記有効範囲外の値を持つ場合に、
前記有効範囲外である前記結果の駆動値に固定値を割り当てるステップと、
前記Ｎ色の表示原色からＫ色を選択するステップであって、前記選択は、前記Ｎ色の表示原色のうち、結合された表示原色へと結合された表示原色であるが、前記有効範囲外である前記結果の駆動値と関連する表示原色ではない表示原色を含み、前記Ｋは３よりも大きい整数であるステップと、
前記Ｎ色の表示原色のうちの原色が前記第１の多原色変換において結合された表示原色へと結合されるという制約の下で、第２の多原色変換を実行するステップと、
を有する方法。
【請求項２】
前記第２の多原色変換は、前記第１の多原色変換において結合された表示原色へと結合された前記Ｎ色の表示原色のうちの原色が、最小限異なる駆動値を持つ又は最小の異なる輝度をもたらすという制約の下で実行される、請求項１に記載の方法。
【請求項３】
前記整数Ｋは４に等しい、請求項１に記載の方法。
【請求項４】
前記Ｍ色の結果の表示原色を用いるステップは、更なる結合された表示原色へと結合された前記Ｎ色の表示原色のうちの表示原色の他の群が、前記更なる結合された表示原色により置き換えられ、前記Ｎ色の表示原色からの４色の選択が、前記更なる結合された表示原色を選択することを含む、Ｍ色の結果の表示原色を用いる、請求項１に記載の方法。
【請求項５】
前記Ｍ色の結果の表示原色を用いるステップは、前記Ｎ色の表示原色のうちの幾つかの表示原色を少なくとも１つの群に結合することにより得られる４色の結果の表示原色を利用し、前記第１の多原色変換を実行するステップは、同一の結合された表示原色に寄与する表示原色が最小の異なる駆動値又は最小の異なる輝度をもたらすという制約の下で実行される、請求項４に記載の方法。
【請求項６】
表示フィールドが、第１の表示原色を持つ第１のフレームと、第２の表示原色を持つ第２のフレームとを有し、前記Ｎ色の表示原色が、前記第１の表示原色と前記第２の表示原色とを有する、請求項１に記載の方法。
【請求項７】
前記第１の表示原色の数は前記第２の表示原色の数と等しく、前記Ｍ色の結果の表示原色を用いるステップは、前記Ｎ色の表示原色のＮ／２個の最隣接する対を結合することにより、前記Ｎ色の表示原色をＮ／２色の結果の表示原色により置き換える、請求項６に記載の方法。
【請求項８】
前記Ｎは６に等しく、
前記Ｍ色の結果の表示原色を用いるステップは、３色の結合された表示原色により前記６個の表示原色を置き換え、
前記第１の多原色変換を実行するステップは、前記入力画素を、前記３色の結合された表示原色についての３個の駆動値に変換し、
前記３個の駆動値が前記有効範囲内の値を持つか否か、及び前記３個の駆動値のうち少なくとも１個が有効値を持たないか否かをチェックし、
有効でない駆動値に対して固定値を割り当て、
前記６色の表示原色から４色を選択し、前記選択は、前記有効でない駆動値に関連する表示原色を含まない、請求項７に記載の方法。
【請求項９】
前記固定値を割り当てるステップは、前記有効範囲の最も近い境界値を、前記有効範囲外の駆動値に割り当てる、請求項１に記載の方法。
【請求項１０】
前記選択するステップはＫ色の原色を選択し、ここでＫは３より大きく且つＮから固定値の数を減じたものよりも小さい、請求項１に記載の方法。
【請求項１１】
前記結果の駆動値のうち１つよりも多い駆動値が前記有効範囲外であり、前記割り当てるステップ、前記選択するステップ、及び前記実行するステップは、前記有効範囲外の前記結果の駆動値のそれぞれについて繰り返し実行され、該繰り返しの実行は、
前記有効範囲外である前記結果の駆動値に固定値を割り当て、
前記Ｎ色の表示原色からのＫ色の選択であって、前記表示原色のうち、前記結合された表示原色へと結合された表示原色であるが、当該繰り返しについて前記有効範囲外の選択された結果の駆動値に関連する表示原色ではない表示原色を含む選択を実行し、
前記駆動値を得るために等駆動又は等輝度制約を用いて前記第２の多原色変換を実行し、
結合された原色へと結合された前記表示原色の駆動値間の差を決定し、前記有効範囲外の前記結果の駆動値のそれぞれについて前記割り当てるステップ、前記選択するステップ、及び前記実行するステップを実行した後に、
最小の差をもたらす前記有効範囲外の駆動値に関連する駆動値を選択することによって実行される、請求項１又は１０に記載の方法。
【請求項１２】
入力原色の３個の値により定義される入力画素を、表示装置の画素のＮ個のサブ画素を駆動するためのＮ個の駆動値へと変換するための変換器であって、前記Ｎ個の駆動値はこれら駆動値が生じる有効範囲を持ち、前記Ｎ個のサブ画素は、Ｎ色の表示原色により定義される光を発し、前記Ｎ色の表示原色のうち少なくとも４色が独立したものであり、前記変換器は、
Ｍ色の結果の表示原色を供給するための選択ユニットであって、結合された表示原色へと結合された前記Ｎ色の表示原色のうちの表示原色の群が、前記結合された表示原色により置き換えられる、選択ユニットと、
前記Ｍ色の結果の表示原色についての結果の駆動値を得るために、前記入力画素に対して第１の多原色変換を実行するための第１の多原色変換器と、
Ｍ個の前記結果の駆動値が前記有効範囲内の値を持つか否かをチェックし、前記Ｍ色の結果の表示原色の少なくとも１つの前記結果の駆動値が前記有効範囲外の値を持つ場合に、前記有効範囲外である前記結果の駆動値に固定値を割り当てるための、チェック及び割り当てユニットと、
前記Ｎ色の表示原色からＫ色を選択するための選択ユニットであって、前記選択は、前記Ｎ色の表示原色のうち、結合された表示原色へと結合された表示原色であるが、前記有効範囲外である前記結果の駆動値と関連する表示原色ではない表示原色を含み、前記Ｋは３よりも大きい整数である選択ユニットと、
前記Ｎ色の表示原色のうちの原色が前記第１の多原色変換において結合された表示原色へと結合されるという制約の下で、第２の多原色変換を実行するための第２の多原色変換器と、
を有する変換器。
【請求項１３】
請求項１に記載の方法のステップをプロセッサが実行することを可能とするコードを有するコンピュータプログラムであって、前記ステップは、
Ｍ色の結果の表示原色を用いるステップであって、結合された表示原色へと結合された前記Ｎ色の表示原色のうちの表示原色の群が、前記結合された表示原色により置き換えられるステップと、
前記Ｍ色の結果の表示原色についての結果の駆動値を得るために、前記入力画素に対して第１の多原色変換を実行するステップと、
Ｍ個の前記結果の駆動値が前記有効範囲内の値を持つか否か、及び、前記Ｍ色の結果の表示原色の少なくとも１つの前記結果の駆動値が前記有効範囲外の値を持つか否かをチェックするステップと、
前記有効範囲外である前記結果の駆動値に固定値を割り当てるステップと、
前記Ｎ色の表示原色からＫ色を選択するステップであって、前記選択は、前記Ｎ色の表示原色のうち、結合された表示原色へと結合された表示原色であるが、前記有効範囲外である前記結果の駆動値と関連する表示原色ではない表示原色を含み、前記Ｋは３よりも大きい整数であるステップと、
前記Ｎ色の表示原色のうちの原色が前記第１の多原色変換において結合された表示原色へと結合されるという制約の下で、第２の多原色変換を実行するステップと、
である、コンピュータプログラム。
【発明の詳細な説明】
【技術分野】
【０００１】
本発明は、３色の入力原色の３個の値により定義される入力画素を、表示装置の画素のＮ個のサブ画素を駆動するためのＮ個の画素駆動値へと変換する方法、及び、該方法を実行するためのソフトウェアプログラムに関する。本発明は更に、３色の入力原色の３個の値により定義される入力画素を、表示装置の画素のＮ個のサブ画素を駆動するためのＮ個の画素駆動値へと変換するための変換器に関する。
【背景技術】
【０００２】
国際特許出願公開WO95/10160は、３色のシステム原色を用いて符号化された送信されたカラービデオ信号を受信し、４色の表示原色を用いた装置上での表示のために該信号を復号化する、ビデオ表示装置を開示している。該４色の表示原色は、該４色の表示原色のうちの他の２つの組み合わせとして表現され得る表示原色がないという点で独立したものであり、斯くして四辺形を定義する。第３及び第４の表示原色の線形結合である、第５の、仮想表示原色（imaginary display primary）が決定される。ここで、該四辺形は、それぞれが第１と第４と第５、第１と第５と第２、及び第２と第５と第３の表示原色により定義される、３組の三つ組（triad）に分けられる。受信されたビデオ信号は、それぞれが各三つ組のためのものである３つの行列演算ユニットにより復号化され、第１乃至第４の表示原色のための駆動信号を算出する。各画素について、４原色表示装置を駆動するために、負の表示駆動信号を生成しない行列演算ユニット出力が選択される。斯くして、入力信号の特定の入力画素について、入力画素色を表示することを可能とする三つ組が選択される。
【０００３】
該先行技術の一実施例において、以下のステップが実行される。最初に、第３及び第４の表示原色の線形結合として第５の表示原色が決定される。第２に、第１、第２及び第５の表示原色を有する表示原色の三つ組を用いて、第１、第２及び第５の表示原色を生成するための信号が算出される。第３に、これら算出された信号が全てゼロ又は正である場合には、表示原色駆動信号を形成するために第１及び第２の表示原色についての信号が利用され、第５の表示原色についての信号を用いて第３及び第４の表示原色についての駆動信号が算出され、第３及び第４の表示原色についての駆動信号をこれら原色間の線形な関係に基づいて算出する。第４に、第１の表示原色について算出された信号が負である場合、表示原色駆動信号が最初に算出され、これら信号が全てゼロか又は正である場合には、算出された第２及び第４の表示原色駆動信号が、第１の表示原色駆動信号の所定の倍数の付加により修正され、第１の表示原色信号がゼロに設定される。第２の表示原色について算出された信号が負である場合にも、同様の手法がとられる。
【発明の概要】
【発明が解決しようとする課題】
【０００４】
該先行技術においては、三つ組を生成することが可能となるように第５の原色が導入される。該三つ組のそれぞれにおける計算は単純である。なぜなら、各三つ組において、３つの原色入力信号が、３つの原色表示信号へと確定的に変換されるからである。しかしながら、該先行技術の手法は、異なる三つ組間の境界に不連続が生じ得るという欠点を持つ。以下、多原色なる語が用いられる場合には、３色よりも多い表示原色が存在することを示す。
【０００５】
本発明の目的は、三つ組の境界における不連続を低減することにある。
【課題を解決するための手段】
【０００６】
本発明の第１の態様は、請求項１に記載の方法を提供する。本発明の第２の態様は、請求項１１に記載の変換器を提供する。本発明の第３の態様は、請求項１２に記載のコンピュータプログラムを提供する。有利な実施例は従属請求項において定義される。
【０００７】
本発明の第１の態様による方法は、３色の入力原色の３個の値により定義される入力画素を、表示装置の出力画素のＮ個のサブ画素を駆動するためのＮ個の駆動値へと変換する。Ｎは、３よりも大きい整数である。入力信号は、表示装置のそれぞれの画素に表示される必要がある入力画素のシーケンスを有する。入力信号の入力画素は、３色の入力原色に関して定義される。表示画素は、Ｎ（＞３）色の独立した表示原色により定義される光を発する、Ｎ（＞３）個のサブ画素を有する。更には言及しないが、表示画素は、従属する表示原色を持つ更なるサブ画素を有しても良い。説明を容易にするため、以下、画素の全てのサブ画素が独立した表示原色を持つことが仮定される。斯くして、入力画素の３色の入力原色の寄与を定義する３個の値が、表示画素のＮ個のサブ画素についてのＮ個の駆動値へと変換される。
【０００８】
Ｎ個の駆動値は全て、これら値が有効となる範囲である、同一の有効範囲を持つ。全ての実用的な実装において、これら駆動値は、限られた範囲内の値しか持てない。例えば、アナログ実装においては、生成され得る電圧は、利用される電源電圧により制限される。ディジタル実装においては、これら値は、ディジタル語を表すために利用されるビットの数により制限される。該制限された範囲が有効範囲となるように定義される。なぜなら、有効範囲外の駆動電圧は、実用的な実装では生成され得ないからである。以下、有効範囲は、境界値を含んで０から１までの範囲に正規化される。
【０００９】
本方法は、Ｎ色の表示原色の代わりに、Ｍ色の結果の表示原色を利用する。ここで、Ｍは整数Ｎよりも小さな整数である。Ｍ色の結果の表示原色は、Ｎ色の表示原色のうちのそれぞれを、結合された表示原色へと結合して、該結合された表示原色により結合された表示原色を置き換えることにより得られる。該結合された表示原色は、結合された表示原色の線形結合として生成されても良い。Ｍ色の結果の表示原色は予め保存されたものであっても良いし、又は本方法のステップにより決定されても良い。
【００１０】
次いで、３つの原色入力信号を、Ｍ色の表示原色についてのＭ個の結果の原色駆動値へと変換するため、多原色変換が入力画素に適用される。次いで、Ｍ個の結果の駆動値が有効範囲内の値を持つか否かがチェックされる。結果の駆動値の全てが有効範囲内である場合には、Ｍ色の結果の表示原色が、入力画素の色を表現するために利用されることができる。Ｎ色の表示原色を駆動するためのＮ個の表示駆動値は、結合された表示原色を生成するために利用された結合比に基づいて、Ｍ個の結果の原色駆動値から導出される。表示原色の結果の駆動値が有効範囲外の値を持つ場合には、以下のステップが実行される。最初に、有効範囲外である結果の駆動値に対して、固定値が割り当てられる。１つよりも多い結果の駆動値が有効範囲外の値を持つ場合には、これら駆動値のうちの少なくとも１つに、固定値が割り当てられる。第２に、Ｎ色の表示原色から、Ｋ（３＜Ｋ＜Ｎ）色が選択される。該選択は、Ｎ個の表示原色のうち、結合された表示原色に結合されたものであるが、有効範囲外である結果の駆動値と関連した表示原色ではないものを含む。Ｋ色の選択された表示原色は、入力画素の色の表現が可能となるように選択される。入力画素は、選択された表示原色による色域内にある。３からＫへの多原色変換（更に議論される第３のステップ）の後にのみ、入力色がこれらＫ色の原色により表現され得るかが明らかとなることは、留意されるべきである。第３に、第１の多原色変換において結合された表示原色へと結合されたＮ色の表示原色のそれぞれが等しい駆動値を持つという制約の下で、第２の多原色変換が実行される。しかしながら、例えばＯＬＥＤディスプレイについての最小劣化制約のような、他のいずれの制約も適用可能であり得る。
【００１１】
多原色変換は、３色の入力原色に関して定義された入力画素を、Ｋ色の仮想的な表示原色に関連したＫ（３よりも大きい）個の駆動値へと変換するため、制約を適用することが可能である。Ｋ色の仮想的な表示原色は、実際の表示原色と、実際の表示原色の結合とを有し得る。斯かる３からＫへの多原色変換は、欧州特許出願番号05102641.7に記載されたように、ルックアップテーブルを利用することなく、効率的に実行されることができる。３からＫへの多原色変換は、Ｋ＝４である場合に、特に効率的である。
【００１２】
該制約が等しい駆動値制約である場合、多原色変換は、３からＫへの多原色変換のためにとり得る全ての方法のうちから１つが選択され、それにより、関連する表示原色が結合されているために同一又は略同一の駆動値を持っていた駆動値が、Ｍ個の結果の表示原色により生成される色域の境界を越えて同一の値を保つことをもたらす。斯くして、表示原色の結合の特定の選択において、特定の色域に帰着する。入力画素が該色域内ではあるが該色域の境界に近い色を持つ場合には、全ての結合された表示原色の駆動値が既知となる。該結合が、全ての寄与する表示原色が同じ重みを持つ線形結合である場合には、これらの駆動値は略同一となる。他の入力画素が、前述した入力画素の色に近い色であるが前述した色域のすぐ外にある色を持つ場合には、この最新の色が表現され得るように、表示原色の新たなセット（現実の及び／又は結合された）が選択される必要がある。利用される表示原色の異なるセットのため、更なる制約が利用されない場合には、不連続が生じ得る。確定的な３からＫへの多原色変換においては、制約を適用することが可能である。従って、この手法は、三つ組の色域の境界に対して異なる側にある非常に類似した色について、アーティファクトを引き起こし得る。本発明によれば、他の三つ組ではなく四辺形が選択される。この場合、３から４への多原色変換が必要とされ、ここでは多くのとり得る方法から最適な方法を見つけ出すために有用な制約を入力することが可能である。不連続を防ぐために非常に有用な制約は、結合された実際の表示原色の駆動値に対する等駆動制約である。前述したように、特定の原色（又は結合された原色）又は原色の群について最適な方法を提供する他の制約が、同様に不連続を防ぐ。
【００１３】
一実施例においては、Ｍ個の結果の表示原色は更に、更なる結合された表示原色へと結合されたＮ色の表示原色のうちの原色の別の群を有する。多原色変換においては、結合されたＮ色の表示原色のうちの原色が、更なる結合された表示原色により置き換えられ、３から４への多原色変換を容易化する。Ｎ色の表示原色からの４色の選択は、更なる結合された表示原色を含む。この手法は、６色よりも多い表示原色が存在する場合に、特に適切である。ここで、Ｎ色の表示原色のうち２色よりも多い原色が１つの群に結合される必要があるか、又は、結合された表示原色の更なる群が利用される必要がある。一実施例においては、最も近い２つの表示原色のみが常に、結果の色域を可能な限り大きく保つためにグループ化される。
【００１４】
一実施例においては、正確に４色の結果の表示原色が利用される。４色の結果の表示原色は、少なくとも１つの群におけるＮ色の表示原色の幾つかを結合することにより得られる。第１の多原色変換はここでは、同一の結合された表示原色に寄与する表示原色が等しい駆動値を持つという制約の下で実行される。斯くして、ここでは、第１及び第２の多原色変換の両方が等しい駆動値制約を利用し、それにより隣接するサブ色域の境界での不連続を更に低減する。ここでもまた、他のいずれの制約が利用されても良いことは、留意されるべきである。
【００１５】
一実施例においては、表示フィールドが、第１の表示原色を持つ第１のフレームと、
第２の表示原色を持つ第２のフレームとのシーケンスを有する。第１の表示原色及び第２の表示原色は、Ｎ色の表示原色を形成する。通常、表示フィールドは、表示画素の対応するマトリクスに表示されるべき入力画素のシーケンスを有する。又は換言すれば、入力画素のフィールドは、表示画素の完全なマトリクスに表示されるべき入力色を有する。例えばＬＣＤ装置においては、フレーム毎に異なる光源を用いることにより或いはフレーム毎にバックライトユニットにより発せられる光のスペクトルを変化させることにより、又はフレーム毎に異なる色フィルタを用いることにより、異なる表示フレームについて異なる原色が得られ得る。ここでは、クロストークをも防止するためには、多原色変換の間に等しい駆動制約を実装することが可能であることが一層重要である。
【００１６】
一実施例においては、第１の表示原色の数は、第２の表示原色の数に等しい。Ｍ＝Ｎ／２色の結果の表示原色が、種々のフレームからＮ色の表示原色のＮ／２個の再隣接対を結合することにより、Ｎ色の表示原色を置き換える。斯くして、種々のフレームから２つの再隣接表示原色が単一の結合された表示原色へと結合される。この手法は、とり得る大きな色域に、結合された表示原色を供給する。
【００１７】
一実施例においては、Ｎが６に等しく、３色の結果の結合された表示原色が、６色の表示原色を置き換える。第１に言及された多原色変換は、以下のステップにより先行される。最初に、多原色変換が、入力画素を３色の結合された表示原色についての３個の駆動値へと変換する。第２に、チェック処理が該３個の駆動値が有効範囲内の値を持つか否かを決定する。該３個の駆動値のうち少なくとも１つが有効な値を持たない場合には、該無効な駆動値に固定値が割り当てられ、６色の表示原色のうち４色が選択される。該選択は、該無効な駆動値に関連する表示原色を含まない。該４色の選択された表示原色は、多原色変換が適用された後に入力画素の色の表示を可能とするように選択される。
【００１８】
一実施例においては、有効範囲外の駆動値に対して、有効範囲の最も近い境界値が前記固定値として割り当てられる。
【００１９】
本発明のこれらの及び他の態様は、以下に説明される実施例を参照しながら説明され明らかとなるであろう。
【図面の簡単な説明】
【００２０】
【図１】３原色入力信号を多原色駆動信号へと変換するための変換器を備えたディスプレイ機器を模式的に示す。
【図２】３原色入力信号を多原色駆動信号へと変換するための変換器の実施例のブロック図を模式的に示す。
【図３】５色の独立した表示原色により生成される色域の例を模式的に示す。
【図４】スペクトル順次ディスプレイの１つのフィールドを模式的に示す。
【図５】３原色入力信号を２倍の３色表示原色へと変換するための変換器の実施例のブロック図を模式的に示す。
【図６】スペクトル順次ディスプレイの２倍の３色表示原色により生成される色域の例を模式的に示す。
【発明を実施するための形態】
【００２１】
異なる図面において同一の参照番号を持つアイテムは、同一の構造的な特徴及び同一の機能を持つものであるか、又は同一の信号である点に留意されたい。斯かるアイテムの機能及び／又は構造が説明されている場合には、詳細な説明において繰り返しの説明は必要ない。
【００２２】
図１は、３原色入力信号を多原色駆動信号へと変換するための変換器を備えたディスプレイ機器を模式的に示す。該ディスプレイ機器は、変換器１及び表示装置ＤＤを有する。
【００２３】
表示装置ＤＤは、Ｎ個のサブ画素ＳＰｉを有する画素ＰＩｉを有する。明確さのため、１つの画素ＰＩｉのみが示されている。通常、表示装置は、画像を表示することが可能であり、マトリクス状の構造で配置された複数の画素ＰＩｉを有する。インデクスｉは、一般に複数のこれらアイテムについて、先行する文字により示されるアイテムを示すために用いられることに留意されたい。例えば、画素ＰＩｉは画素ＰＩのうちのいずれか１つであるか、又は全般的に画素ＰＩを指す。画素ＰＩｉのサブ画素ＳＰｉは、表示原色ＤＰｉを形成する異なる光を発する。サブ画素ＳＰｉのそれぞれは、画素駆動値ＤＳｉにより駆動される。図示される例においては、画素ＰＩｉはＮ（６に等しい）個のサブ画素ＳＰｉを有し、従って６個の画素駆動値ＤＳｉが必要とされる。
【００２４】
入力信号は、画素ＰＩｉ毎にＮ個の画素駆動値ＤＳｉへと変換される必要のある３色の入力原色ＲＩ、ＧＩ及びＢＩの３つの値ｒｉ、ｇｉ及びｂｉにより定義される、入力画素ＩＰｉを有する。先行技術においては、該変換は直接に実行され得、大きな記憶容量（ルックアップテーブル）又は大量の計算を必要とする困難な多原色変換を必要とする。代替としては、国際特許出願公開WO95/10160に開示されるように、表示原色ＤＰｉによる出力色域が三つ組に分割され、入力色が有効な駆動値で表現されることができる三つ組が選択される。しかしながら、この手法は、異なる三つ組における類似する色の間で不連続を引き起こし得る。
【００２５】
本発明においては、変換器１がＮ色の表示原色ＤＰｉを処理してＭ個の駆動値ＤＲｉのうちの、表示原色ＤＰｉの数Ｎよりも小さい幾つかを提供し、斯くして３色の入力原色ＲＩ、ＧＩ及びＢＩからＭ個の駆動値ＤＲｉへの多原色変換を実行する必要がある。Ｍ個の駆動値ＤＲｉは、Ｎ個の画素駆動値ＤＳｉへと変換される必要がある。変換器１の動作は、他の図面を参照しながらより詳細に説明される。
【００２６】
図２は、３原色入力信号を多原色駆動信号へと変換するための変換器の実施例のブロック図を模式的に示す。変換器１は、選択ユニット１０と、ＭＰＣ１とも呼ばれる多原色変換器１１と、チェック及び割り当てユニット１２と、選択ユニット１３と、ＭＰＣ２とも呼ばれる多原色変換器１４と、ドライバ１８と、を有する。
【００２７】
選択ユニット１０は、Ｎ色の表示原色ＤＰｉ及びＮ色の表示原色ＤＰｉから生成された結合された原色のサブセットを含む、Ｍ色の結果の表示原色ＲＤｉを供給する。Ｍは、整数Ｎよりも小さい整数である。Ｍ色の結果の表示原色ＲＤｉのうち少なくとも１つは、Ｎ色の表示原色ＤＰｉのうちの特定のものを、結合された表示原色ＣＤｉへと結合することにより得られる。斯かる結合された表示原色ＣＤｉは、Ｎ色の表示原色ＤＰｉのうち少なくとも２つの結合である。結合された表示原色ＣＤｉへと結合された表示原色ＤＰｉは、結合された表示原色ＣＤｉにより置き換えられる。結合された表示原色ＣＤｉは、結合された表示原色ＤＰｉの線形結合として生成されても良い。Ｍ色の結果の表示原色ＲＤｉは、選択ユニット１０のメモリに予め記憶されていても良いし、又は表示原色ＤＰｉから選択ユニット１０により決定されても良い。斯くして選択ユニット１０は、多原色変換１１において利用される表示原色ＤＰｉの量を、ＮからＭへと減少させる。しかしながら、独立した表示原色ＤＰｉについては、結果の表示原色ＲＤｉによる色域は、現実の表示原色ＤＰｉとも呼ばれる表示原色ＤＰｉによる色域よりも小さい。
【００２８】
次いで、多原色変換器１１は、入力画素ＩＰｉに対して多原色変換ＭＰＣ１を実行し、３原色入力画素ＩＰｉを、Ｍ色の結果の表示原色ＲＤｉのためのＭ個の結果の駆動値ＤＲｉへと変換する。該多原色変換器１１は、３原色入力画素ＩＰｉを、３個以上の結果の駆動値ＤＲｉへと変換しても良い。結果の駆動値ＤＲｉの数が３よりも大きい場合には、該変換は制約ＣＯ１の下で実行される。例えば、該制約は等輝度制約であっても良いし、又は結合された表示原色ＤＰｉについての等駆動値制約であっても良い。しかしながら、多原色変換１１においては、駆動値ＤＲｉについてのいずれの所望の制約ＣＯ１が利用されても良い。
【００２９】
次いで、チェック及び割り当てユニット１２が、Ｍ個の結果の駆動値ＤＲｉが有効範囲ＶＲ内の値を持つか否かをチェックする。全ての結果の駆動値ＤＲｉが有効範囲ＶＲ内である場合には、処理されている入力画素ＩＰｉの色を表現するためにＭ色の結果の表示原色ＲＤｉが用いられることができる。Ｍ個の有効な駆動値からＮ色の現実の表示原色のＮ個の駆動値を得るため、結合比が利用される。Ｎ個の駆動値が決定されると、入力色についての３からＮへの変換が準備状態となる。しかしながら、Ｍ色の原色ＲＤｉのうちの少なくとも１つの結果の駆動値ＤＲｉが有効範囲ＶＲ外の値を持つ場合には、以下のステップが実行される。
【００３０】
最初に、チェック及び割り当てユニット１２が、有効範囲ＶＲ外の結果の駆動値ＤＲｉに対して固定値ＦＶｉを割り当て、表示原色の修正されたセットＤＰｉ'に帰着する。固定値ＦＶｉが結合された駆動値に割り当てられる場合には、結合比を用いて、結合された全ての駆動値に固定値が自動的に割り当てられる。
【００３１】
第２に、選択ユニット１３が、表示原色ＤＰｉ'のうち、駆動値が固定値ＦＶｉを持つような表示原色ＤＰｉを有さないサブセットＲＤｉ'を選択する（選択ユニット１０と同様に）。チェック及び割り当てユニット１２が、表示原色ＤＰｉ'の限られたセットのみを供給するか全ての表示原色ＤＰｉ及びどれが選択可能ではないかを示す情報を供給するかは、本発明には重要ではない。図２に示された例においては、サブセットＲＤｉ'は、表示原色ＤＰｉ'から選択された（現実の）及び／又は生成された（結合された）ちょうど４色の表示原色を有する。選択されたＲＤｉ'は、結合された表示原色ＣＤｉへと結合されたものであるが、有効範囲ＶＲ外である結果の駆動値ＤＲｉに関連する表示原色ＤＰｉではない、Ｎ色の表示原色ＤＰｉのうちの原色を含む。該４色の選択された表示原色ＲＤｉ'は、入力画素ＩＰｉの色の表現が可能であるように選択される。換言すれば、入力画素ＩＰｉは、該選択された４色の表示原色ＲＤｉ'による色域内にある。ＲＤｉ'が入力色を表現できるか否かは予め知られないことに留意されたい。第２の多原色変換ＭＰＣ２が実行された後にのみ、いずれかの駆動値ＤＲｉ'が負であるか否かが既知となる。このことは、原色ＤＰｉ'の種々の（又は全ての）とり得る結合を試み、多原色変換ＭＰＣ２の後の結果に基づいて最良の結果を選択する、繰り返しアルゴリズムが利用されても良い理由である。
【００３２】
第３に、多原色変換器１４が、第１の多原色変換１１が最小限に異なる（好適には等しい）駆動値を持つか又は最小限に異なる輝度を持つ前に結合された表示原色ＣＤｉへと結合されたＮ色の表示原色ＤＰｉのうちの原色という制約ＣＯ２の下で、多原色変換ＭＰＣ２を実行する。多原色変換１４は３色の入力原色ＲＩ、ＧＩ及びＢＩに関して定義された入力画素ＩＰｉを、４色の表示原色ＲＤｉ'に関連する４個の駆動値ＤＲｉ'に変換するため、制約ＣＯ２を適用することが可能である。４色の表示原色ＲＤｉ'は、現実の表示原色ＤＰｉと、現実の表示原色ＤＰｉの結合ＣＤｉとを有しても良い。斯かる３から４への多原色変換ＭＰＣ２は、ルックアップテーブルの使用なく効率的に実行されることができ、欧州特許出願番号05102641.7に記載されている。
【００３３】
該制約ＣＯ２の使用は、３から４への原色変換のためのとり得る全ての方法のうちから、関連する表示原色が結合されているために略同一の又は同一の駆動値を持つ駆動値ＤＲｉ'が、Ｍ色の選択された表示原色ＤＰｉ'により生成される色域の境界を越えて可能な限り同一の値を保つような方法が選択される。斯くして、表示原色ＤＰｉの結合ＣＤｉの特定の選択において、特定の色域に帰着する。入力画素ＩＰｉが該色域内ではあるが該色域の境界に近い色を持つ場合には、全ての結合された表示原色ＣＤｉの駆動値ＤＲｉ'が既知である。該結合が、結合された表示原色ＣＤｉに対する全ての寄与する表示原色ＤＰｉが同じ重みを持つ線形結合である場合には、これらの駆動値は略同一である。他の入力画素ＩＰｉが前述した入力画素ＩＰｉの色に近いが前述した色域のすぐ外にある色を持つ場合には、表示原色の新たなセット（現実のＤＰｉ及び／又は結合されたＣＤｉ）が、該後者の言及された色が表現され得るように選択される必要がある。後者の言及された色のために必要とされる表示原色ＤＰｉの異なるセットのため、更なる制約ＣＯ２が利用されない場合には、不連続が生じ得る。確定的な３から３への原色変換においては、制約を適用することが可能である。従って、該先行技術の手法は、三つ組の色域の境界の両側にある非常に類似した色に対してアーティファクトを生じ得る。本発明によれば、別の三つ組が選択されるのではなく、四辺形が選択される。ここで、多原色変換ＭＰＣ２のためにとり得る多くの方法のなかから最適な方法を定義するために結合された現実の表示原色ＤＰｉの駆動値についての制約ＣＯ２を入力することが可能な３から４への原色変換が必要とされる。
【００３４】
図２に示された例においては、表示画素は、４色の表示原色ＤＰｉを形成する４個のサブ画素を持ち、従って３から４への多原色変換ＭＰＣ２が必要とされる。画素がＮ個のサブ画素を持つ場合（ＮはＮ色の独立した表示画素を表す）、３からＮへの多原色変換ＭＰＣ２が必要とされる。制約ＣＯ２は、他のいずれの適切な制約であっても良い。
【００３５】
結果の駆動値ＤＲｉのうち１つよりも多い値が有効範囲ＶＲ外である場合には、以下により、有効範囲外の各駆動値ＤＲｉについて割り当て１２、選択１３及び実行１４が繰り返し実行される繰り返しアルゴリズムが実装されても良い。有効範囲ＶＲ外の結果の駆動値ＤＲｉに対して固定値ＦＶｉを割り当てる（１２）。Ｎ色の表示原色ＤＰｉからＫ個の原色を選択する（１３）。ここで該選択は、結合された表示原色ＣＤｉへと結合された表示原色ＤＰｉであるが、有効範囲ＶＲ外の該繰り返しについて選択された結果の駆動値ＤＲｉに関連する表示原色ＤＰｉではない原色を含む。等駆動値又は等輝度制約ＣＯ２を用いて第２の多原色変換を実行し、駆動値ＤＲｉ'を得る。
【００３６】
変換器は更に、駆動値ＤＲｉ'間の差又は結合された原色ＣＤｉへと結合された表示原色の輝度間の差を決定し、最小の差をもたらす有効範囲外の駆動値ＤＲｉに関連する駆動値ＤＲｉ'を選択する、決定ブロック１５を有する。
【００３７】
駆動器１８は、４個の駆動値ＤＲｉ'を受信し、Ｎ個の駆動値ＤＳｉを画素ＰＩｉのＮ個のサブ画素ＳＰｉへと供給する。駆動器１８は更に、結合された表示原色ＣＤｉへと結合された別個の表示原色ＤＰｉの正しい駆動値ＤＳｉを算出することが可能となるように、駆動値ＤＳｉがこれら駆動値が有効範囲ＶＲ内にないために有効範囲ＶＲ内の固定値ＦＶｉを得るための情報であり、表示原色ＤＰｉがどのように結合されたかに関する情報を受信する。
【００３８】
図３は、５色の独立した表示原色により生成される色域の例を、模式的に示す。該５色の独立した表示原色は、ＤＰ１、ＤＰ２、ＤＰ３、ＤＰ４及びＤＰ５である。表示原色ＤＰ２とＤＰ３とは、結合された表示原色ＣＤｉへと結合される。図示される実施例においては、表示原色ＣＤｉは、線ＤＰ２及びＤＰ３を、２つの等しい部分に分割する。色域Ｇ１は表示原色ＤＰ１、ＣＤｉ、ＤＰ４及びＤＰ５により定義され、色域Ｇ２は表示原色ＤＰ１、ＤＰ２及びＣＤｉにより定義され、色域Ｇ３は表示原色ＤＰ３、ＤＰ４及びＣＤｉにより定義される。結合された表示原色ＣＤｉもまた表示原色と呼ばれるが、現実の表示原色ではない点に留意されたい。更に、色域Ｇ１は、表示原色ＤＰ２とＤＰ３とが等しい駆動値を持つ場合に生じることに留意されたい。
【００３９】
以下、図２に示された回路の動作が、図３に示された表示原色の例に基づいて説明される。選択ユニット１０は、５色の表示原色ＤＰ１乃至ＤＰ５から、本例においてはＤＰ１、ＣＤｉ、ＤＰ４及びＤＰ５である４色の結果の表示原色ＲＤｉを生成する。多原色変換器１１は、３色の入力原色ＲＩ、ＧＩ、ＢＩについて定義された入力画素ＩＰｉを、現実の表示原色ＤＰ１、ＤＰ４及びＤＰ５並びに結合された表示原色ＣＤｉである４色の結果の表示原色ＲＤｉの４個の駆動値ＤＲｉへと変換する。チェック及び割り当てユニット１２は、４個の駆動値ＤＲｉの全てについて、これら駆動値が有効範囲ＶＲ内にあるか否か、又は換言すれば、これら駆動値が実際の実装において有効な値を持つか否かをチェックする。入力画素ＩＰ１について、４個の駆動値ＤＲｉが全て有効な値を持つ場合には、多原色変換器１１により供給される駆動値ＤＲｉは、表示原色ＤＰ２とＤＰ３との間の結合比（重み）に関する情報を用いる駆動器１８に供給されることができる。しかしながら、この状況は、本発明に対して更に重要ではない。
【００４０】
本発明は、現在の入力画素ＩＰｉが色域Ｇ１内にないが、例えば入力画素ＩＰ２が色域Ｇ３内にある状況に、どのように対処するかに向けたものである。ここで、先行技術に対する違いが議論される。ここで、ユニット１２は例えば、表示原色ＤＰ１についての駆動値が負であることを検出し、有効範囲内の固定値ＦＶｉを表示原色ＤＰ１に割り当てる。一実施例においては、固定値ＦＶｉは、表示原色ＤＰ１についての駆動値が負である場合にはゼロに等しく、表示原色ＤＰ１についての駆動値が１よりも大きい場合には１に等しい。ユニット１２は、実際には有効値を持たない関連する駆動値ＤＲｉの１つが選択ユニット１３によりもはや選択可能ではない表示原色ＤＰｉである表示原色ＤＰｉ'の修正されたセットを供給する。該１つはセットＤＰｉ'に含められなくても良いし、又はもはや選択可能ではないという指示と共に含められても良い。駆動値ＤＲｉの１つよりも多くが有効範囲ＶＲ外の値を持つ場合には、これら駆動値ＤＲｉのうち全て又は選択されたものが、固定値ＦＶｉを得る。有効範囲内の異なる５個の駆動値ＤＲｉは、等しい又は異なる固定値ＦＶｉを得ても良い。
【００４１】
一実施例においては、１つよりも多い駆動値が有効範囲外である場合に、繰り返しの手法が用いられる。該繰り返しアルゴリズムは、固定値を１つのみの無効値に割り当て、無効値を持つ他の原色を選択ユニット１３において選択する。多原色変換ＭＰＣ２の後、最適さの尺度が評価され、該特定の選択について保存されても良い。２回目の繰り返しにおいて、無効値を持つ別の原色に対して固定値が割り当てられ、選択ユニット１３は原色の異なるサブセットを選択する。多原色変換ＭＰＣ２の後、最適さの第２の尺度が保存される、等する。全ての繰り返しの後、最良の最適さの尺度を与える選択及び固定原色が、変換の結果として選択される。
【００４２】
選択ユニット１３は、セットＤＰｉ'中の選択可能なものから、ちょうど４色の表示原色ＲＤｉ'のサブセットＲＤｉ'を選択する。色の表示原色ＲＤｉ'は、表示原色ＤＰｉ'から選択される（現実の）及び／又は生成される（結合される）。選択ＲＤｉ'は、結合された表示原色ＣＤｉへと結合されたＮ色の表示原色ＤＰｉのうちの原色を含むが、有効範囲ＶＲ外である結果の駆動値ＤＲｉに関連する表示原色ＤＰ１は含まない。４色の選択された表示原色ＲＤｉ'は、入力画素ＩＰ２の色の表現が可能となるように選択される。斯くして、図３に示される例においては、４色の選択される表示原色ＲＤｉ'は、ＤＰ２、ＤＰ３、ＤＰ４及びＤＰ５である。しかしながら、通常は選択された表示原色ＲＤｉ'は色を表示することを可能とする正しい原色であることは前もっては（多原色変換ＭＰＣ２を実行する前には）知られないため、通常は、以上に説明された繰り返しアルゴリズムが利用される。
【００４３】
多原色変換器１４は、第１の多原色変換１１の前に結合された表示原色ＣＤｉへと結合されたＮ色の表示原色のうちの原色ＤＰ２及びＤＰ３が等しい駆動値を持つか若しくは最小の差を持つという制約ＣＯ２、又は結果の輝度が等しいか若しくは最小の差を持つという制約ＣＯ２の下で、多原色変換を実行する。本例においては、４色の表示原色ＲＤｉ'が全て現実の表示原色ＤＰｉであるが、他の例においては、４色の選択された表示原色ＲＤｉ'において現実の表示原色ＤＰｉの１つ以上の結合ＣＤｉが存在しても良い。多原色変換器１４は、４色の選択された表示原色ＲＤｉ'についての駆動値ＤＲｉ'を供給する。
【００４４】
駆動器１８は、４個の駆動値ＤＲｉ'を受信し、Ｎ個の駆動値ＤＳｉを画素ＰＩｉのＮ個のサブ画素ＳＰｉに供給する。４色の選択された原色のセット中の現実の表示原色ＤＰｉの駆動値ＤＳｉは、対応するサブ画素ＳＰｉを駆動するために直接利用されることができる。本例においては、このことは、４色の選択された原色の全てである。選択された原色のセット中に結合された表示原色ＣＤｉが存在する場合には、結合された表示原色ＤＰｉの値が算出されることができる。なぜなら、結合のために利用されたアルゴリズムが既知であるからである。図示された実施例においては、結合された原色ＤＰｉについての駆動値ＤＳｉは、結合された原色ＣＤｉについての駆動値ＤＲｉ'に等しくなり得る。駆動器１８は更に、有効範囲ＶＲ内にないために駆動値ＤＳｉが固定値ＦＶｉを得るために基づく情報を受信する。
【００４５】
図４は、スペクトル順次ディスプレイの１つのフィールドを模式的に示す。例えば、スペクトル順次ディスプレイは、２つのフレームＦＲ１及びＦＲ２を有する１つのフィールドＦＩの間に、各画像を表示する。例えばフィールドＦＩの繰り返し速度は６０Ｈｚであり、フレーム繰り返し速度は１２０Ｈｚである。２つのフレームＦ１及びＦＲ２の間の表示原色ＤＰｉは、表示可能な全体の閾値を拡大するために、異なる。
【００４６】
例えば、２倍のフレームレートで駆動されることができる、従来のＲＧＢ表示パネルが利用されても良い。変更されたバックライトは、２つのタイプの蛍光ランプ又はＬＥＤを有する。フレームＦＲ１の間、ランプの一方のタイプが、表示パネルの色フィルタと共に、３色の表示原色ＤＰｉの第１のセットを生成する。フレームＦＲ２の間、ランプの他方のタイプが、表示パネルの色フィルタと共に、３色の表示原色ＤＰｉの第２のセットを生成する。斯くして、拡大された閾値が、３色の表示原色ＤＰｉの２倍の組み合わせ、即ち６色の表示原色ＤＰｉにより定義される。
【００４７】
スペクトル順次ディスプレイのための本発明による手法の一例が、図５に示されたブロック図及び図６に示された３色の表示原色の２つの群に関して説明される。
【００４８】
図５は、３原色入力信号を、スペクトル順次ディスプレイの２倍の３色表示原色へと変換するための変換器の実施例のブロック図を模式的に示す。
【００４９】
図６は、スペクトル順次ディスプレイの２倍の３色表示原色により生成される色域の例を模式的に示す。フレームＦＲ１の間、色域は表示原色ＤＰ１、ＤＰ２及びＤＰ３により定義され、フレームＦＲ２の間、色域は表示原色ＤＰ４、ＤＰ５及びＤＰ６により定義される。
【００５０】
選択ユニット１０は、６色の表示原色ＤＰ１乃至ＤＰ６から、本例においては結合された表示原色ＣＤ１、ＣＤ２及びＣＤ３である３色の結果の表示原色ＲＤｉを生成する。結合された表示原色ＣＤ１は、表示原色ＤＰ１とＤＰ４との結合であり、結合された表示原色ＣＤ２は、表示原色ＤＰ２とＤＰ５との結合であり、結合された表示原色ＣＤ３は、表示原色ＤＰ３とＤＰ６との結合である。図示される本例においては、結合された表示原色ＣＤｉは、結合されるべき表示原色ＤＰｉの平均となるように選択される。斯くして、結果の表示原色ＣＤ１、ＣＤ２及びＣＤ３である、同一の表示原色ＲＤｉが、フレームＦＲ１及びＦＲ２の両方の間に選択される。従って、選択される表示原色ＲＤｉが、結合された表示原色ＣＤ１、ＣＤ２及びＣＤ３により定義される色域をカバーする。
【００５１】
多原色変換器１２は、３色の入力原色ＲＩ、ＧＩ及びＢＩに関して定義された入力画素ＩＰｉを、結合された表示原色ＣＤ１、ＣＤ２及びＣＤ３である３色の結果の表示原色ＲＤｉの３個の駆動値ＤＲｉへと変換する。斯くしてここでは、多原色変換器１１は、３から３への原色変換を実行する。チェック及び割り当てユニット１２は、３個の駆動値ＤＲｉの全てについて、これら値が有効範囲ＶＲ内にあるか否かをチェックする。入力画素Ｃ１については、３個の駆動値ＤＲｉが全て有効な値を持ち、駆動値ＤＲｉは駆動器１８に直接供給されることができる。
【００５２】
しかしながら、現在の入力画素ＩＰｉが色域Ｇ１内にはないが例えば入力画素Ｃ２である場合には、ユニット１２は、選択された表示原色ＣＤ１についての駆動値ＤＲｉが負であることを検出し、有効範囲ＶＲ内の固定値ＦＶｉを結合された表示原色ＣＤ１に割り当てる。一実施例においては、固定値ＦＶｉは、表示原色ＣＤ１についての駆動値が負である場合にはゼロに等しく、表示原色ＣＤ１についての駆動値が１よりも大きい場合には１である。ユニット１２は、実際には有効値を持たない関連する駆動値ＤＲｉの１つが選択ユニット１３によりもはや選択可能ではない表示原色ＤＰｉである表示原色ＤＰｉ'の修正されたセットを供給する。斯くして本例においては、表示原色ＣＤ１に関連するＤＰ１及びＤＰ４が、もはや選択可能ではない。なぜなら、これらは例えばゼロである固定値ＦＶｉを得ているからである。
【００５３】
選択ユニット１３は、セットＤＰｉ'中の選択可能な原色から、ちょうど４色の表示原色ＲＤｉ'のサブセットを選択する。フレームＦＲ１、ＦＲ２毎に３色の原色を持つスペクトル順次ディスプレイの本例において残される選択ＲＤｉ'のための可能性は、４色の原色ＤＰ２、ＤＰ５、ＤＰ３及びＤＰ６のみである。斯くして、ここでもまた、選択ＲＤｉ'は、結合された表示原色ＣＤ２及びＣＤ３へと結合されたＮ色の表示原色ＤＰｉの原色を含むが、有効範囲ＶＲｉ外である結果の駆動値ＤＲｉに関連する表示原色ＤＰ１及びＤＰ４を含まない。本例においては、入力画素Ｃ２の色の表現が可能となるように、４色の選択される表示原色ＲＤｉ'が自動的に選択される。
【００５４】
多原色変換器１４は、第１の多原色変換１１が等しい駆動値を持つ前に、Ｎ色の表示原色の対ＤＰ２及びＤＰ３並びにＤＰ３及びＤＰ６がそれぞれ結合された表示原色ＣＤ２及びＣＤ３へと結合されるという制約ＣＯ２の下で、多原色変換を実行する。代替として、制約ＣＯ２は、駆動値間の差が最小であること、又は表示原色ＤＰｉに関連するサブ画素ＳＰｉの結果の輝度の差が最小であることであっても良い。本例においては、４色の表示原色ＲＤｉ'は全て現実の表示原色ＤＰｉであるが、３色よりも多い表示原色がフレームＦＲ１、ＦＲ２毎に存在する他の例においては、現実の表示原色ＤＰｉの１つ以上の組み合わせが、４色の表示原色ＲＤｉ'に存在しても良い。多原色変換器１１は、４色の選択された表示原色ＲＤｉ'についての駆動値ＤＲｉ'を供給する。ここでもまた、他のいずれの制約ＣＯ２が適用されても良い。例えば、最小劣化制約ＣＯ２が、結合された表示原色ＣＤｉにより定義される色域の内と外とで劣化が同等となるようにサブ画素の駆動が選択されるようにしても良い。斯くして、制約ＣＯ２の利用は、該色域の境界における不連続を改善する。
【００５５】
駆動器１８は、４個の駆動値ＤＲｉ'を受信し、画素ＰＩｉの３個のサブ画素ＳＰｉに、２倍の３個の駆動値ＤＳｉを供給する。４色の選択された原色のセット中の現実の表示原色ＤＰｉの駆動値ＤＳｉは、対応するサブ画素ＳＰｉを駆動するために直接利用されても良い。選択された画素の該セットにおいて結合された表示原色ＣＤｉが存在する場合には、該結合された表示原色ＣＤｉへと結合された表示原色ＤＰｉの値は、結合のために利用されたアルゴリズムを用いることにより算出されることができる。図示される例においては、結合された表示原色ＤＰｉについての駆動値ＤＳｉは、結合された原色ＣＤｉについての駆動値ＤＳｉと等しくなり得る。駆動器１８は更に、有効範囲ＶＲ内にないために駆動値ＤＳｉが固定値ＦＶｉを得るために基づく情報を受信する。
【００５６】
該スペクトル順次ディスプレイにおいては、原色が同じ色フィルタに対応する対に結合される。図５及び６に関して議論された例は、例えば画素ＰＩｉ毎に４個以上のサブ画素ＳＰｉを持つスペクトル順次ディスプレイにおけるような、３つよりも多い対が利用される場合にも利用されることができる。加えて、又は代替として、フィールド毎に２個よりも多いフレームが存在しても良い。例えば、フィールドが、それぞれが３色の表示原色により定義された３個のフレームを有する場合、３個の異なる色域を定義する全体で９色の原色が存在する。
【００５７】
フレームＦＲ１及びＦＲ２の継続時間（例えば８．３ｍｓ）に対して表示画素ＰＩｉの応答が比較的遅い場合（例えば５ｍｓ）、異なるフレームＦＲ１、ＦＲ２における画素間のクロストークが、ちらつきとして生じる。斯くして、異なるフレームにおける対の表示原色ＤＰｉについての駆動値ＤＳｉ間の差を可能な限り小さく保つことが重要である。それ故、本発明の一実施例においては、等駆動値制約ＣＯ２の下、３から４への多原色変換１４が利用される。又は代替として、制約ＣＯ２は、駆動値間の差が最小となるべきであるというものであっても良い。入力画素ＩＰｉの色が再生され得る、全ての対の駆動値ＤＳｉ間の差が最小となる６色の表示原色ＤＰｉのうちの４色の選択を、アルゴリズムが探す。結合された表示原色ＣＤ１、ＣＤ２及びＣＤ３により定義される色域内で、これら対の表示原色ＤＰｉについての駆動値ＤＳｉは等しい。従って、色の大半は、これら対について等しい駆動値で再生され得る。非常に明るい色及び／又は非常に彩度が高い色のみが、結合された表示原色ＣＤｉにより再生されることができない。斯かる色については、これら対の駆動値をこれら色に対しても可能な限り等しく保つために、最小差又は等駆動制約の下で、以上に説明された３から４への原色変換が実行される。
【００５８】
この手法は、クロストークを除去するのみならず、動きアーティファクトをも減少させる。２つのフレームＦＲ１及びＦＲ２は時間的に離れており、動き補償が実装されない場合には同一の空間情報を担持する。このことは、観測者の網膜上の異なる位置における２つのフレームの出現に帰着し得る。或る対の駆動値間の差が大きい場合には、動きアーティファクトが明らかに可視となる。該アーティファクトは、対の駆動値が等しい又は略等しい場合に、あまり不快なものではなくなる。該手法は、高価な動き推定を不必要にし得る。
【００５９】
該スペクトル順次ディスプレイの６色の表示原色ＤＰｉ（３色の２倍）について、以下の式により色変換が定義される。ここで、いずれかのＸＹＺ色が、６色の原色ＤＰ１乃至ＤＰ６の６色の原色駆動信号により生成される。変換行列ｔ１１乃至ｔ３６は、６色の表示原色ＤＰ１乃至ＤＰ６の色座標を含む。
【数１】
2010532012.tif 000003
【００６０】
６色の表示原色ＤＰ１乃至ＤＰ６の値が決定される必要がある本式は、６個の変数を持つ３個の式のみが利用可能であるため、解かれることができない。しかしながら、表示原色ＤＰ１乃至ＤＰ６が、
【数２】
2010532012.tif 000004
のように隣接する表示原色の対へと結合される場合には、３個の変数を持つ以下の３個の式に帰着する。
【数３】
2010532012.tif 000005
【００６１】
ここで、ｔａ１１＝（ｔ１１＋ｔ１４）／２、ｔａ１２＝（ｔ１２＋ｔ１５）／２、ｔａ１３＝（ｔ１３＋ｔ１６）／２、等である。
【００６２】
本式は、ｔａ１１乃至ｔａ３３を有する行列Ｔａの逆行列Ｔａ−１を決定することにより解かれることができる。
【数４】
2010532012.tif 000006
【００６３】
結合された表示原色ＣＤ１、ＣＤ２及びＣＤ３のいずれかが有効範囲ＶＲ外の値を持つ場合には、入力画素ＩＰｉの色は、これら３色の表示原色ＣＤ１、ＣＤ２及びＣＤ３により可能な色域内にない。有効範囲ＶＲは、境界値を含む０乃至１までの範囲に正規化される。負の値については色の彩度が高過ぎ、１よりも大きな値については色が明る過ぎる。解が有効である場合には、ＤＰ１＝ＤＰ４＝ＣＤ１、ＤＰ２＝ＤＰ５＝ＣＤ２、及びＤＰ３＝ＤＰ６＝ＣＤ３である。解が有効でない場合には、等駆動又は最初差制約の下で３から４への原色変換が適用され、該変換は容易にリアルタイムで実行され得る。
【００６４】
以下、ＣＤ１＜０であること、及びＣＤ１がゼロに固定されることが仮定される。自動的に、ＤＰ１及びＤＰ４もゼロである。ここで、４原色系は原色ＤＰ２、ＤＰ３、ＤＰ５及びＤＰ６に帰着し、これらの値は現在の入力画素ＩＰｉについて決定される必要がある。
【００６５】
単に例として、
ｄ１＝（ＤＰ２−ＤＰ５）２、及び
ｄ２＝（ＤＰ３−ＤＰ６）２
として定義される差ｄ１及びｄ２を最小化することにより、最小差制約が実行される。
【００６６】
該制約は、欧州特許出願番号05102641.7に開示されたような、４原色系において４個の原色駆動値のうち３個が４番目の値の関数として表現される手法において、利用されることができる。本手法においては、以下が成り立つ。
【数５】
2010532012.tif 000007
ここで、値ＣＣ１、ＣＣ２及びＣＣ３は入力サンプルＩＰｉの色により定義され、係数Ｋ１、Ｋ２及びＫ３は原色ＤＰ２、ＤＰ３、ＤＰ５及びＤＰ６の座標により定義される。最後の式が差ｄ１及びｄ２についての式に代入されると、ｄ１及びｄ２は原色ＤＰ６の二次関数を表す。距離ｄ１及びｄ２の同時の最小化は、２つの放物線ｄ１（ＤＰ６）とｄ２（ＤＰ６）との間の交点の探索と見なすことができる。該交点における原色ＤＰ６の値は、最適値ＤＰ６ｏｐｔと示され、ｄ１（ＤＰ６）＝ｄ２（ＤＰ６）について、
【数６】
2010532012.tif 000008
である。
【００６７】
他の駆動値はここで、原色ＤＰ２、ＤＰ３及びＤＰ５についての式において、ＤＰ６についてのＤＰ６ｏｐｔを代入することにより決定される。最後に、決定されたマッピングＰ１＝０、Ｐ２、Ｐ３、Ｐ４＝０、Ｐ５及びＰ６ｏｐｔは、固定値ＦＶｉに設定されていない表示原色ＤＰｉの対の駆動値ＤＳｉ間の最小差の制約を満たす。
【００６８】
例えばＣＤ１＜０及びＣＤ３＞１のように、結合された原色ＣＤｉのうち１つよりも多くが有効範囲ＶＲ外である場合には、表示原色ＤＰｉを選択するための全ての可能性が試される。例えば、最初に、本アルゴリズムはＣＤ１をゼロに固定し、残りの原色ＤＰ２、ＤＰ３、ＤＰ５及びＤＰ６を用いて３から４への原色変換１４を適用する。変換の結果は、駆動値ＤＳｉと共に、対の駆動値ＤＲｉ'間のｄ１及びｄ２についての最大の差を提供する。第２に、本アルゴリズムはＤＰ３を１に固定し、原色ＤＰ１、ＤＰ２、ＤＰ４及びＤＰ５について３から４への原色変換１４を適用する。ここでもまた、駆動値ＤＳｉと、対の駆動値ＤＳｉの間の距離が結果として得られる。対の駆動値ＤＳｉの間の最小距離をもたらす解が、最適解として選択される。
【００６９】
多原色変換のための提案されたアルゴリズムは、多くの用途において利用され得る。本アルゴリズムは、特定の量の原色に制約されるものではなく、いずれの多原色変換にも適用可能である。
【００７０】
上述の実施例は本発明を限定するものではなく説明するものであって、当業者は添付する請求項の範囲から逸脱することなく多くの代替実施例を設計することが可能であろうことは留意されるべきである。
【００７１】
本発明はハードウェアに関して説明されたが、議論された機能は全体が又は一部がソフトウェアアルゴリズムによって実行されても良い。ソフトウェアアルゴリズムは、専用のプロセッサ又は適切にプログラムされた汎用プロセッサ上で実行されても良い。
【００７２】
請求項において、括弧に挟まれたいずれの参照記号も、請求の範囲を限定するものとして解釈されるべきではない。動詞「有する（comprise）」及びその語形変化の使用は、請求項に記載されたもの以外の要素又はステップの存在を除外するものではない。要素に先行する冠詞「１つの（a又はan）」は、複数の斯かる要素の存在を除外するものではない。本発明は、幾つかの別個の要素を有するハードウェアによって、及び適切にプログラムされたコンピュータによって実装されても良い。幾つかの手段を列記した装置請求項において、これら手段の幾つかは同一のハードウェアのアイテムによって実施化されても良い。特定の手段が相互に異なる従属請求項に列挙されているという単なる事実は、これら手段の組み合わせが有利に利用されることができないことを示すものではない。
【図１】
2010532012.tif 000009
【図２】
2010532012.tif 000010
【図３】
2010532012.tif 000011
【図４】
2010532012.tif 000012
【図５】
2010532012.tif 000013
【図６】
2010532012.tif 000014
【国際調査報告】
2010532012.tif 000015
2010532012.tif 000016
2010532012.tif 000017